(57)【要約】【課題】対物レンズを取り換えることなく、また、対物レンズ装置により焦点が合わせられた目標物を動かすことなく、倍率と焦点距離とを変更することができる顕微鏡用対物レンズ装置を提供すること。【解決手段】顕微鏡用対物レンズ装置は、管状のケーシングと、該ケーシング内で該ケーシングに取り付けられた伸縮可能な管組立体と、前記ケーシングに固定されたキャップと、それぞれが該キャップと前記ケーシングとの間に固定された２つのガイド部材とを含む。前記管組立体は、前記ケーシング内で該ケーシングに回転可能に取り付けられた外管と、該外管内で該外管に回転可能かつ移動可能に取り付けられ、前記ガイド部材に摺動可能に取り付けられた内管と、該内管内で該内管に取り付けられ対物レンズとを有する。【選択図】図２
0003123176.tif 000002
【実用新案登録請求の範囲】
【請求項１】
縁部を有する開放された第１端部と開放された第２端部と縦方向に伸びる貫通穴と内面と開口とを有する管状のケーシングと、該ケーシング内にあって該ケーシングに取り付けられた伸縮可能な管組立体と、前記ケーシングの前記第１端部に固定された管状のキャップであって、２つの開放された端部と縦方向に伸びる貫通穴と内面とを有するキャップと、それぞれが該キャップと前記ケーシングとの間に固定された少なくとも２つのガイド部材とを含み、前記管組立体は、前記ケーシング内にあって該ケーシングに回転可能に取り付けられた外管であって、２つの開放された端部と縦方向に伸びる貫通穴と内面と該内面に形成されたねじ山と前記端部の一方から前記外管の半径方向に外方へ伸びかつ前記ケーシングの前記開口と整列させられた環状のノブとを有する外管と、該外管内にあって該外管に回転可能かつ移動可能に取り付けられた内管であって、２つの開放された端部と縦方向に伸びる貫通穴とそれぞれが前記ガイド部材に摺動可能に取り付けられた少なくとも２つの取り付け部とそれぞれが前記外管の前記ねじ山に噛み合わされた少なくとも２つのタブとを有する内管と、該内管内にあって該内管に取り付けられた対物レンズとを有する、顕微鏡用対物レンズ装置。
【請求項２】
前記内管は、該内管の前記端部の一方から前記内管の半径方向に外方へ伸びる環状のフランジを有し、前記内管の前記取り付け部は、それぞれが前記フランジを貫いて形成された少なくとも２つの取り付け穴を有し、前記ガイド部材は、それぞれが前記内管の前記フランジの前記取り付け穴を貫いて伸びる少なくとも２本のロッドであり、各ロッドは２つ端部を有する、請求項１に記載の顕微鏡用対物レンズ装置。
【請求項３】
前記キャップは、それぞれが該キャップの前記内面から前記キャップの半径方向に内方へ伸びる少なくとも２つの突起を有し、各突起は該突起を貫いて形成された取り付け穴を有し、前記ケーシングは、該ケーシングの前記内面から前記ケーシングの半径方向に内方へ伸びる環状のフランジであって、内縁部とそれぞれが該内縁部に形成された少なくとも２つのノッチとを有する環状のフランジを有し、各ロッドの一方の端部は前記キャップの前記突起の前記取り付け穴に固定されており、各ロッドの他方の端部は前記ケーシングの前記フランジの前記ノッチに固定されている、請求項２に記載の顕微鏡用対物レンズ装置。
【考案の詳細な説明】
【技術分野】
【０００１】
本考案は、対物レンズを有する伸縮可能な管組立体を含み、かつ該管組立体を伸縮させることにより倍率と焦点距離とを調整する顕微鏡用対物レンズ装置に関する。
【背景技術】
【０００２】
一般に、顕微鏡は、微生物、細胞又は材料の微細構造を観察するために用いられている。
【０００３】
従来の顕微鏡は、ベース、アーム、ヘッド、接眼レンズ、ターレット、複数の対物レンズ及びステージを有する。前記アームは、前記ベースに取り付けられており、端部を有する。前記ヘッドは前記アームの前記端部に取り付けられている。前記接眼レンズは前記ヘッドに取り付けられている。前記ターレットは前記ヘッドに回転可能に取り付けられている。前記対物レンズは前記ターレットに取り付けられている。前記対物レンズの１つは、前記顕微鏡が特定の倍率を有するように、前記ターレットを回転させることにより前記接眼レンズと整列させることができる。前記ステージは、前記アームに摺動可能に取り付けられ、前記対物レンズの１つと整列させられており、細胞や材料を載せたスライドガラスのような目標物を固定する固定具を有する。
【考案の開示】
【考案が解決しようとする課題】
【０００４】
各対物レンズは焦点距離の変更が不可能であり、前記顕微鏡は、前記対物レンズを取り換えることなしには倍率を変更することができない。前記顕微鏡は、複数の対物レンズを有するため、高価である。
【０００５】
前記顕微鏡は、前記対物レンズの焦点距離を精密に合わせるために前記目標物が載せられた前記ステージを上下に動かす必要があり、さらに、前記対物レンズを取り換えるために前記ターレットを回転させる必要がある。前記ターレット及び前記ステージの調整は、不便であり、非効率である。
【０００６】
本考案は、上記の欠点を軽減し又は解決する顕微鏡用対物レンズ装置を提供する。
【０００７】
本考案の目的は、対物レンズを有する伸縮可能な管組立体を含み、かつ該管組立体を伸縮させることにより倍率と焦点距離とを調整する顕微鏡用対物レンズ装置を提供することである。
【課題を解決するための手段】
【０００８】
本考案に係る顕微鏡用対物レンズ装置は、ケーシングと伸縮可能な管組立体とキャップとを含む。
【０００９】
前記ケーシングは、管状であり、貫通穴と開口とを有する。
【００１０】
前記管組立体は外管と内管と対物レンズとを有する。前記外管は、前記ケーシング内にあって、該ケーシングに回転可能に取り付けられており、ねじ山と、前記開口と整列させられたノブとを有する。前記内管は、前記外管内にあって、該外管に回転可能かつ移動可能に取り付けられている。前記対物レンズは、前記内管内にあって、該内管に取り付けられている。
【００１１】
前記キャップは前記ケーシングに取り付けられている。前記顕微鏡用対物レンズ装置は、それぞれが前記ケーシングと前記キャップとの間に固定された２つのガイド部材を有する。前記ガイド部材に沿って前記内管を移動させることができるように、前記内管は前記ガイド部材に摺動可能に取り付けられている。
【００１２】
本考案の他の目的、利点および新規な特徴は、添付の図面に関しての以下の詳細な説明からより明らかになる。
【考案を実施するための最良の形態】
【００１３】
図１ないし３を参照すると、対物レンズ装置はデジタル顕微鏡に用いられている。前記デジタル顕微鏡は光学センサー８０を有する。光学センサー８０は、回路基板と該回路基板に取り付けられた接眼レンズ８２とを有する。
【００１４】
前記対物レンズ装置は、前記デジタル顕微鏡の使用時に光学センサー８０が前記対物レンズ装置から画像を読み取ることができるように光学センサー８０に接続されている。前記対物レンズ装置はケーシング１０と伸縮可能な管組立体とキャップ５０とを含む。
【００１５】
ケーシング１０は、管状であり、開放された第１端部、開放された第２端部、貫通穴１１、内面、開口１２及び環状のフランジ１３を有する。前記第１端部は縁部を有する。貫通穴１１は縦方向に伸びる。開口１２は、ケーシング１０を該ケーシングの半径方向に貫いて形成されており、図示の例では、前記第１端部の前記縁部に形成されている。フランジ１３は、ケーシング１０の前記内面からケーシング１０の半径方向内方へ伸び、環状の内縁部とそれぞれが該内縁部に形成された少なくとも２つのノッチ１３１とを有する。
【００１６】
前記管組立体は、ケーシング１０内で該ケーシングに取り付けられており、外管２０と内管３０と対物レンズ４０とを有する。外管２０は、ケーシング１０内で該ケーシングに回転可能に取り付けられており、２つの開放された端部と貫通穴２１と内面とねじ山２２と環状のノブ２３とを有する。貫通穴２１は縦方向に伸びる。ねじ山２２は外管２０の前記内面に形成されている。ノブ２３は、外管２０の前記端部の一方から外管２０の半径方向に外方へ伸び、ケーシング１０の開口１２と整列させられている。
【００１７】
内管３０は、外管２０内で該外管に回転可能に取り付けられており、外管２０が回転すると縦方向に移動する。内管３０は、２つの開放された端部と、貫通穴３１と、環状のフランジ３２と、少なくとも２つの取り付け部と、少なくとも２つのタブ３４とを有する。貫通穴３１は縦方向に伸びる。フランジ３２は、内管３０の前記端部の一方から内管３０の半径方向に外方へ伸び、外縁部を有する。図示の例では、前記取り付け部は、それぞれがフランジ３２を貫いて形成された少なくとも２つの取り付け穴３３を有する。各タブ３４は、フランジ３２の前記外縁部に形成されており、ノブ２３を回して外管２０を回転させるときに内管３０が縦方向に移動するように外管２０のねじ山２２に噛み合わされている。
【００１８】
対物レンズ４０は、内管３０の前記端部のうち、フランジ３２と反対側に位置する端部に配置され、内管３０の貫通穴３１に取り付けられている。
【００１９】
キャップ５０は、管状であり、光学センサー８０に接続されており、光学センサー８０の接眼レンズ８２が対物レンズ４０から画像を読み取ることができるようにケーシング１０の前記第１端部に固定されている。キャップ５０は、２つの開放された端部と貫通穴５１と内面と少なくとも２つの突起５２とを有する。貫通穴５１は、縦方向に伸び、対物レンズ４０に面した接眼レンズ８２を備えた、光学センサー８０の回路基板を受け入れる。各突起５２は、キャップ５０の前記内面からキャップ５０の半径方向内方へ伸び、突起５２を貫いて形成された取り付け穴５２１を有する。前記対物レンズ装置は、それぞれがケーシング１０とキャップ５０との間に固定された２つのガイド部材を有する。各ガイド部材には、内管３０の前記取り付け部が摺動可能に取り付けられている。図示の例では、前記ガイド部材は、それぞれが内管３０の取り付け穴３３を経て伸びる少なくとも２本のロッド５３である。各ロッド５３は、２つの端部を有し、一方の端部はキャップ５０の取り付け穴５２１に固定されており、他方の端部はケーシング１０のノッチ１３１に固定されている。
【００２０】
図４、５に示すように、外管２０のノブ２３を回転させると、内管３０が外管２０内でロッド５３に沿って移動する。これにより、接眼レンズ８２と対物レンズ４０との間の距離が変更され、前記対物レンズ装置の倍率が変更される。また、対物レンズ４０と細胞や材料を載せたスライドガラスのような、前記対物レンズ装置により焦点が合わせられた目標物との間の距離が変更され、前記対物レンズ装置の焦点距離が変更される。
【００２１】
前記対物レンズ装置は、前記管組立体を伸縮させることによって、対物レンズ４０を取り換えることなく、また、前記対物レンズ装置により焦点が合わせられた目標物を動かすことなく、倍率と焦点距離とを変更することができる。したがって、前記対物レンズ装置の操作は、便利であり、効率的である。
【図面の簡単な説明】
【００２２】
【図１】本考案に係る顕微鏡用対物レンズ装置の斜視図。
【図２】本考案に係る顕微鏡用対物レンズ装置の分解斜視図。
【図３】本考案に係る顕微鏡用対物レンズ装置の縦断面図。
【図４】内管がケーシングの第２端部へ移動するときの顕微鏡用対物レンズ装置の縦断面図。
【図５】内管が最も低い位置にあるときの顕微鏡用対物レンズ装置の縦断面図。
【符号の説明】
【００２３】
１０    ケーシング
１１    ケーシングの貫通穴
１２    開口
１３    ケーシングのフランジ
２０    外管
２１    外管の貫通穴
２２    ねじ山
２３    ノブ
３０    内管
３１    内管の貫通穴
３２    内管のフランジ
３３    内管の取り付け穴
３４    タブ
４０    対物レンズ
５０    キャップ
５１    キャップの貫通穴
５２    突起
５３    ロッド
１３１    ノッチ
５２１    キャップの取り付け穴
【図１】
0003123176.tif 000003
【図２】
0003123176.tif 000004
【図３】
0003123176.tif 000005
【図４】
0003123176.tif 000006
【図５】
0003123176.tif 000007